【事件の表示】
　特願２０１３−２４０１８６号「各台対応装置」拒絶査定不服審判事件〔平成２７年５月２８日出願公開、特開２０１５−９７７２７号〕について、次のとおり審決する。
【結　論】
　本件審判の請求は、成り立たない。
【理　由】
第１　手続の経緯
　本願は、平成２５年１１月２０日の出願であって、平成２８年８月２４日に手続補正書が提出され、平成２９年５月１７日付けで拒絶の理由が通知され、同年７月２０日に意見書及び手続補正書が提出されたところ、同年９月６日付け（発送日：同年９月１２日）で拒絶査定がなされ、それに対して、同年１２月１２日に拒絶査定不服審判の請求がなされると同時に手続補正がなされたものである。
第２　平成２９年１２月１２日付けの手続補正についての補正の却下の決定
［補正の却下の決定の結論］
　平成２９年１２月１２日付けの手続補正（以下、「本件補正」という。）を却下する。
［理由］
１　補正の内容
　本件補正は、本件補正前の特許請求の範囲、すなわち平成２９年７月２０日になされた手続補正により補正された特許請求の範囲の請求項１の記載を、以下のとおり、補正後の特許請求の範囲の請求項１のものに補正する事項を含むものである（下線は補正箇所を示す。）。
（補正前）
「遊技者による所定の操作部への操作によって遊技玉を遊技盤面に供給し、遊技盤面を流下した遊技玉が所定の入賞口に入った場合に賞を付与する機能を有し、前記操作部への操作態様により遊技盤面に供給する遊技玉の流下態様を調整可能な遊技機に対応して設けられる各台対応装置であって、
　前記各台対応装置の動作を制御する制御手段と、
　遊技媒体数を記憶する記憶手段と、
　前記制御手段の認証を行う認証手段を有し、前記遊技機と通信を行う通信手段と、
　所定の操作を受け付けた場合に、前記遊技機に対して前記記憶手段に記憶した遊技媒体数を特定可能な情報を前記通信手段を介して送信する送信手段と、
　前記遊技機から移行分の遊技媒体数を特定可能な情報を前記通信手段を介して受信する受信手段と、
　前記受信手段に受信した情報に基づいて前記記憶手段に記憶した遊技媒体数を更新する更新手段と、
　前記通信手段を介して前記操作部への操作態様に関する情報を取得する操作情報取得手段と、
　前記操作情報取得手段により取得された情報に基づいて、前記操作部への操作態様に関する表示を所定の表示部において行う操作情報表示制御手段と
　を有し、
　前記通信手段は、前記認証手段による認証結果が正当なものであった場合に、前記操作情報取得手段による一定時間間隔ごとの情報の取得が可能な状態を設定するものである
　ことを特徴とする各台対応装置。」
（補正後）
「遊技者による所定の操作部への操作によって遊技玉を遊技盤面に供給し、遊技盤面を流下した遊技玉が所定の入賞口に入った場合に賞を付与する機能を有し、前記操作部への操作態様により遊技盤面に供給する遊技玉の流下態様を調整可能な遊技機に対応して設けられる各台対応装置であって、
　前記各台対応装置の動作を制御する制御手段と、
　
所定の記録媒体の処理を行う記録媒体処理手段と、
　
前記記録媒体に関連付けられた有価価値及び
特定して
　前記制御手段の認証を行う認証手段を有し、前記遊技機と通信を行う通信手段と、
　所定の操作を受け付けた場合に、前記遊技機に対して前記記憶手段に記憶した遊技媒体数を特定可能な情報を前記通信手段を介して送信する送信手段と、
　前記遊技機から移行分の遊技媒体数を特定可能な情報を前記通信手段を介して受信する受信手段と、
　前記受信手段に受信した情報に基づいて前記記憶手段に記憶した遊技媒体数を更新する更新手段と、
　前記通信手段を介して前記操作部への操作態様に関する情報を取得する操作情報取得手段と、
　前記操作情報取得手段により取得された情報に基づいて、前記操作部への操作態様に関する表示を所定の表示部において行う操作情報表示制御手段と
　を有し、
　前記通信手段は、前記認証手段による認証結果が正当なものであった場合に、前記操作情報取得手段による一定時間間隔ごとの情報の取得が可能な状態を設定するものであ
り、
　
前記表示部は、前記記憶手段に記憶した有価価値に関する情報と、前記操作態様に関する表示を同時に表示可能である
　ことを特徴とする各台対応装置。」
２　補正の適否
　本件補正は、本件補正前の請求項１に記載された発明を特定するために必要な事項である「各台対応装置」について、「所定の記録媒体の処理を行う記録媒体処理手段」を有するとの限定を付加し、同じく「記憶手段」について、「遊技媒体数を記憶する」とあったものを、「前記記録媒体に関連付けられた有価価値及び遊技媒体数を特定して記憶する」と限定し、同じく「表示部」について、「前記記憶手段に記憶した有価価値に関する情報と、前記操作態様に関する表示を同時に表示可能である」との限定を付加するものであって、補正前の請求項１に記載された発明と補正後の請求項１に記載される発明の産業上の利用分野及び解決しようとする課題が同一であるから、特許法第１７条の２第５項第２号の特許請求の範囲の減縮を目的とするものに該当する。
　そして、本件補正は、願書に最初に添付した明細書の段落【００７３】、【０１５０】、図１４等の記載からみて、新規事項を追加するものではないから、特許法第１７条の２第３項に規定する要件を満たす。
　そこで、本件補正後の請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
（１）本願補正発明
　本願補正発明は、平成２９年１２月１２日付けの手続補正により補正された特許請求の範囲の請求項１に記載されたとおりのもの（上記「１」の「（補正後）」の記載を参照。）であり、分説し、(A)ないし(L)の符号を付与すると、以下のとおりである。
「(A) 遊技者による所定の操作部への操作によって遊技玉を遊技盤面に供給し、遊技盤面を流下した遊技玉が所定の入賞口に入った場合に賞を付与する機能を有し、前記操作部への操作態様により遊技盤面に供給する遊技玉の流下態様を調整可能な遊技機に対応して設けられる各台対応装置であって、
(B)　前記各台対応装置の動作を制御する制御手段と、
(C)　所定の記録媒体の処理を行う記録媒体処理手段と、
(D)　前記記録媒体に関連付けられた有価価値及び遊技媒体数を特定して記憶する記憶手段と、
(E)　前記制御手段の認証を行う認証手段を有し、前記遊技機と通信を行う通信手段と、
(F)　所定の操作を受け付けた場合に、前記遊技機に対して前記記憶手段に記憶した遊技媒体数を特定可能な情報を前記通信手段を介して送信する送信手段と、
(G)　前記遊技機から移行分の遊技媒体数を特定可能な情報を前記通信手段を介して受信する受信手段と、
(H)　前記受信手段に受信した情報に基づいて前記記憶手段に記憶した遊技媒体数を更新する更新手段と、
(I)　前記通信手段を介して前記操作部への操作態様に関する情報を取得する操作情報取得手段と、
(J)　前記操作情報取得手段により取得された情報に基づいて、前記操作部への操作態様に関する表示を所定の表示部において行う操作情報表示制御手段と
　を有し、
(K)　前記通信手段は、前記認証手段による認証結果が正当なものであった場合に、前記操作情報取得手段による一定時間間隔ごとの情報の取得が可能な状態を設定するものであり、
(L)　前記表示部は、前記記憶手段に記憶した有価価値に関する情報と、前記操作態様に関する表示を同時に表示可能である
　ことを特徴とする各台対応装置。」
（２）引用文献とそれに記載された事項
ア　引用文献１の記載事項
　原査定の拒絶の理由で引用された本願の出願前に頒布された特開２０１１−２０６４５５号公報（以下、「引用文献１」という。）には、次の事項が記載されている（下線は当審において付加したものである。以下同様。）。
引１−ａ
「【００１５】
　以下、図面を参照して本発明の実施形態について説明する。
　図１は、本実施形態に係る遊技管理システム１の全体構成を示す図である。
　遊技管理システム１は、遊技球を遊技媒体に使用するパチンコ機２を設置した遊技場に設けられ、パチンコ機２から遊技情報を取得して管理するシステムであり、複数台のパチンコ機２及びＣＲ（Card Reader）ユニット（遊技球貸出装置）３と、精算機４と、ホールコンピュータ４０を含む管理コンピュータ群５とを備え、ＣＲユニット３、精算機４及び管理コンピュータ群５のそれぞれが通信ネットワーク６により互いに通信可能に接続されている。
【００１６】
　パチンコ機２は、遊技球を遊技媒体に使用する遊技機である。この
パチンコ機２は、遊技者が、価値媒体たるプリペイド媒体２２を購入、或いは、プリペイド媒体２２に現金をチャージし、該プリペイド媒体２２の残価値を代償として遊技球を借りて遊技する、
引１−ｂ
「【００１８】
　パチンコ機本体１０の正面には、遊技球の貸出操作用の玉貸ボタン３８Ａ、プリペイド媒体２２の返却（遊技終了の指示）操作用の遊技終了ボタン３８Ｂ、遊技機液晶表示器１６での表示演出時などに操作入力するプッシュボタン３８Ｃ等の各種操作ボタンが設けられている。
　またパチンコ機本体１０の右下には、
遊技球を遊技盤８の遊技領域に１発ずつ所定の時間間隔で発射する遊技球発射ハンドル１７が設けられ
遊技球発射ハンドル１７の操作に伴って発射された遊技球が始動口１１を通過したことを契機にパチンコ機２は特賞の当落抽選を行う
引１−ｃ
「【００２０】
　
ＣＲユニット３は、各パチンコ機２の片側に配置され互いに通信可能に接続されており、プリペイド媒体２２の残価値がゼロでない事を条件に、玉貸ボタン３８Ａの操作を示す貸出操作信号をパチンコ機２から受信した場合に遊技球の貸出指示信号を出力
【００２１】
　
プリペイド媒体２２にはＩＣを内蔵した硬貨形状のＩＣコイン２２Ａ及びカード型の会員カード２２Ｂが用いられ
引１−ｄ
「【００２３】
　
ＣＲユニット３は、プリペイド媒体２２が投入されている間、その残価値をタッチ液晶モジュール２０に表示し、
　精算機４は、プリペイド媒体２２の残価値を精算する装置であり、この精算機４には、ＩＣコイン２２Ａのコイン投入口２６及び会員カード２２Ｂのカード挿入口２７が設けられている。精算機４は、プリペイド媒体２２が投入された場合、残価値を上記管理コンピュータ群５に問い合わせ、残価値に応じた金額を払い出す。精算機４は、金額払出完了後に、その旨を管理コンピュータ群５に通知し、管理コンピュータ群５が、そのプリペイド媒体２２の残価値として記録している値をクリアすることで精算が完了する。」
引１−ｅ
「【００２８】
　持玉管理サーバ４３は、遊技者の持玉数を管理するコンピュータである。具体的には、持玉管理サーバ４３は、遊技者の持玉数を、投入されているプリペイド媒体２２の識別情報とともに通信ネットワーク６を介してＣＲユニット３から取得して管理する。遊技者は、獲得当日に限り、持玉を遊技に使用することができ、ＣＲユニット３は、プリペイド媒体２２が投入されたときには、当該プリペイド媒体２２の識別情報に対応する持玉数を持玉管理サーバ４３に問い合わせ、応答により得られた持玉数をタッチ液晶モジュール２０に表示する。このとき
ＣＲユニット３は、持玉を使って遊技球の払い出しを受けるための持玉使用ボタン（図示せず）をタッチ液晶モジュール２０に表示し、当該持玉使用ボタンが操作された場合には、所定玉数の遊技球の払出指示信号をパチンコ機２に出力する
引１−ｆ
「【００３６】
　また
パチンコ機２は、
貸出装置接続基板６２
を備え、
　外部端子板６１は、遊技情報、及び遊技球発射ハンドル１７の操作量を示す外部出力信号ＳｏｕｔをＣＲユニット３に一方向に出力する端子板であり、ＣＲユニット３から外部端子板６１への信号入力は禁止されている。外部端子板６１から出力される遊技情報は、遊技機メイン基板５３及び払出制御基板５４が管理する情報であり、これらの基板から外部端子板６１に出力される。
　この遊技情報を示す信号には、パチンコ機２での大当たり発生を示す大当たり信号、図柄表示部５９での図柄の変動停止を示す図柄停止信号（スタート信号）、賞球数を示す賞球信号、アウト玉数を示すアウト玉信号、ファウル玉数を示すファウル玉信号等が含まれている。この遊技情報を周辺機器が取得することで、大当たり信号及び図柄変動停止信号に基づいて大当たり発生や大当たり発生回数、図柄変動回数（スタート回数）を特定でき、また、アウト玉信号、ファウル玉信号及び賞球信号に基づいて、払出制御基板５４とは別に差玉を管理することができる。本実施形態では、外部端子板６１がＣＲユニット３に接続されており、当該ＣＲユニット３は、払出制御基板５４とは別に、差玉に基づいて持玉数を管理し、さらに、
遊技球発射ハンドル１７との操作量の遊技者への通知
　
貸出装置接続基板６２は、ＣＲユニット３と接続するための基板であり、この貸出装置接続基板６２を介してＣＲユニット３からパチンコ機２に貸出指示信号（持玉使用時にあっては払出指示信号）が出力され
玉貸し／払出しが正常に完了したか否かを示す貸出（払出）結果信号がパチンコ機２からＣＲユニット３に入力され
　なお、外部端子板６１と貸出装置接続基板６２とを１枚の基板として構成しても良い。
【００３７】
　タッチ液晶モジュール２０は、ＣＲユニット３により制御されて当該ＣＲユニット３の表示部及び操作部として機能する。すなわち、
ＣＲユニット３が遊技球貸出装置の装置本体に相当し、タッチ液晶モジュール２０が遊技球貸出装置の表示部及び操作部に相当し、これらによって遊技球貸出装置６３が構成され
【００３８】
　図３は、遊技球貸出装置６３の機能的構成を示す図である。
　タッチ液晶モジュール２０は、遊技球貸出装置６３の装置本体たるＣＲユニット３に互いに通信可能に接続されており、液晶パネル７３及びタッチパネル７４を備えた液晶表示部７５と、この液晶表示部７５を制御する回路を実装した操作表示制御基板７７とを備え、この液晶表示部７５の表示画像を制御する画像表示制御信号ＳｇがＣＲユニット３から操作表示制御基板７７に入力されている。液晶表示部７５に対するタッチ操作は、操作表示制御基板７７からＣＲユニット３にタッチ操作入力信号Ｓｔとして出力され、当該ＣＲユニット３にタッチ操作が入力される。すなわち、このタッチ液晶モジュール２０は、パチンコ機２に組み込まれているものの、その表示動作はＣＲユニット３によって制御され、なおかつ、入力操作はＣＲユニット３に出力されており、ＣＲユニット３の表示部及び操作部として構成されている。
【００３９】
　また、ＣＲユニット３からタッチ液晶モジュール２０には、当該タッチ液晶モジュール２０の電力供給線７６を介して動作電力が供給されている。すなわち、タッチ液晶モジュール２０は、ＣＲユニット３との間でパチンコ機２を介さずに直接的に通信し、また、動作電力もＣＲユニット３から供給を受ける構成であるため、パチンコ機２が備える電気回路を変更する必要が無く、製造等が容易となる。なお、タッチ液晶モジュール２０は、ＣＲユニット３との間の通信を、パチンコ機２が備える外部端子板６１や貸出装置接続基板６２を通じて行っても良い。
【００４０】
　
ＣＲユニット３は、メイン基板８０と、ＩＣコイン２２Ａを読み書きするコインＲ／Ｗ８１と、会員カード２２Ｂを読み書きするカードＲ／Ｗ８２
パチンコ機２及びタッチ液晶モジュール２０を接続するための接続基板である遊技機側外部入出力接続基板８４
を備え
【００４１】
　
メイン基板８０は、各部を中枢的に制御するメイン制御汎用ＣＰＵ８７を備え、
持玉及び再プレイ可能玉数（貯玉数）を管理する。
　詳述すると、
メイン制御汎用ＣＰＵ８７は、キャッシュメモリを備え、当該キャッシュメモリを用いて、プリペイド残価値記憶部８８、貸出装置管理持玉数記憶部８９、再プレイ可能玉数記憶部９０、遊技機管理残玉数記憶部９１として機能する
　
プリペイド残価値記憶部８８は、プリペイド媒体２２の残価値を記憶するものであ
【００４２】
　
貸出装置管理持玉数記憶部８９は、ＣＲユニット３がパチンコ機２から受信した遊技情報に基づいて遊技者の持玉数（以下、「貸出装置管理持玉数」と言う）を算出し記憶するものである
ＣＲユニット３は、遊技球の貸出操作や貯玉、持玉の払出操作ごとに、貸出玉数又は払出玉数を貸出装置管理持玉数に加算し、また遊技情報に含まれるアウト玉信号に基づいて貸出装置管理持玉数を減算更新し、さらに遊技情報に含まれるファウル玉或いは賞球を示す賞球信号に基づいて貸出装置管理持玉数を加算更新
【００４３】
　ここで、パチンコ機２においても、上述の通り、払出制御基板５４が持玉数を計数しており、この計数値が遊技機管理発射可能玉数記憶部５４Ａに記憶される。パチンコ機２が管理している遊技機管理残玉数は、発射制御基板５２から遊技球発射を示す信号を受けるごとに減算更新されるのに対し、ＣＲユニット３が管理している貸出装置管理持玉数は、アウト玉の検知信号に基づいて減算更新されるため、貸出装置管理持玉数の減算更新タイミングが遊技機管理残玉数よりも遅くなる。そこで、遊技終了ボタン３８Ｂの操作に伴って持玉数を持玉管理サーバ４３に通知する際には、ＣＲユニット３はパチンコ機２から遊技機管理残玉数を取得して上記遊技機管理残玉数記憶部９１に記憶し、この遊技機管理残玉数を持玉管理サーバ４３に通知することで、正確な持玉数を記録することとしている。遊技終了ボタン３８Ｂの操作時には、この遊技機管理残玉数も図２に示すようにタッチ液晶モジュール２０に表示される。
【００４４】
　
再プレイ可能玉数記憶部９０は、遊技者の貯玉数を記憶するものであり、
貯玉の払出操作に伴って貯玉数を減算更新する
引１−ｇ
「【００４５】
　また、
ＣＲユニット３のメイン制御汎用ＣＰＵ８７は、ハンドル操作量報知制御部９２として機能する
ハンドル操作量報知制御部９２は、遊技球発射ハンドル１７の操作量を表示部たるタッチ液晶モジュール２０に表示して通知するものであり、操作量取得部９３
を備え
　
操作量取得部９３は、パチンコ機２から入力された外部出力信号Ｓｏｕｔに含まれているハンドル操作量を取得し、
引１−ｈ
「【００５４】
　特に、本実施形態では、パチンコ機２が出力する遊技情報及び遊技球発射ハンドル１７の操作量を、遊技球貸出装置６３を経由してホールコンピュータ４０に出力する構成としたため、パチンコ機２は、遊技情報等をホールコンピュータ４０に出力するために、遊技球貸出装置６３以外の他の周辺機器と接続する必要がなく、当該パチンコ機２に接続する機器を遊技球貸出装置６３のみにできる。これによりパチンコ機２の配線接続作業の容易化などが図られる。さらに、
パチンコ機２が備える周辺機器との入出力インターフェースを遊技球貸出装置６３とのインターフェースのみにできる。これにより、インターフェース部分を通じて外部から不正な信号をパチンコ機２に与えて誤動作させる等の不正行為に対する対策がし易くなる。
引１−ｉ
「図２
」
引１−ｊ
「図３
」
イ　引用文献１の記載事項より導き出せる事項
　上記引１−ａないし引１−ｇ、引１−ｉ、引１−ｊに摘記した引用文献１の記載より、以下の事項が導き出せる。なお、(a)ないし(j)、(l)の符号は、本願補正発明に付与した(A)ないし(L)の符号に対応するものである。
(a)　上記引１−ｂに示した段落【００１８】には、「遊技球を遊技盤８の遊技領域に１発ずつ所定の時間間隔で発射する遊技球発射ハンドル１７が設けられ」、「遊技球発射ハンドル１７の操作に伴って発射された遊技球が始動口１１を通過したことを契機にパチンコ機２は特賞の当落抽選を行う」点が記載されている。また、同じく段落【００１６】には、「パチンコ機２」が「遊技者が、価値媒体たるプリペイド媒体２２を購入、或いは、プリペイド媒体２２に現金をチャージし、該プリペイド媒体２２の残価値を代償として遊技球を借りて遊技する」ものである点が記載されている。さらに、上記引１−ｃに示した段落【００２０】には、「ＣＲユニット３は、各パチンコ機２の片側に配置され互いに通信可能に接続されて」いる点が記載されている。
(b)　上記引１−ｆに示した段落【００４０】には、「ＣＲユニット３は、メイン基板８０」「を備え」る点が記載されており、同じく段落【００４１】には、「メイン基板８０は、各部を中枢的に制御するメイン制御汎用ＣＰＵ８７を備え」る点が記載されている。
(c)　上記引１−ｃに示した段落【００２１】には、「プリペイド媒体２２にはＩＣを内蔵した硬貨形状のＩＣコイン２２Ａ及びカード型の会員カード２２Ｂが用いられ」る点が記載されており、上記引１−ｆに示した段落【００４０】には、「ＣＲユニット３は、メイン基板８０と、ＩＣコイン２２Ａを読み書きするコインＲ／Ｗ８１と、会員カード２２Ｂを読み書きするカードＲ／Ｗ８２」「を備え」る点が記載されている。
(d-1)　上記引１−ｆに示した段落【００４０】には、「ＣＲユニット３は、メイン基板８０」「を備え」る点が記載されており、同じく段落【００４１】には、「メイン基板８０は、各部を中枢的に制御するメイン制御汎用ＣＰＵ８７を備え」る点が記載されており、さらに、「メイン制御汎用ＣＰＵ８７は、キャッシュメモリを備え、当該キャッシュメモリを用いて、プリペイド残価値記憶部８８、貸出装置管理持玉数記憶部８９、再プレイ可能玉数記憶部９０、遊技機管理残玉数記憶部９１として機能する」点が記載されている。　
(d-2)　そして、同じく段落【００４１】には、「プリペイド残価値記憶部８８は、プリペイド媒体２２の残価値を記憶するものであ」る点が記載されている。
(d-3)　また、同じく段落【００４２】には、「貸出装置管理持玉数記憶部８９は、ＣＲユニット３がパチンコ機２から受信した遊技情報に基づいて遊技者の持玉数（以下、「貸出装置管理持玉数」と言う）を算出し記憶するものである」点が記載されている。
(d-4)　さらに、同じく段落【００４４】には、「再プレイ可能玉数記憶部９０は、遊技者の貯玉数を記憶するものであり、」「貯玉の払出操作に伴って貯玉数を減算更新する」点が記載されている。
(e)　上記引１−ｆに示した段落【００４０】には、「パチンコ機２及びタッチ液晶モジュール２０を接続するための接続基板である遊技機側外部入出力接続基板８４」「を備え」る点が記載されている。
(f-1)　上記引１−ｃに示した段落【００２０】には、「ＣＲユニット３は、各パチンコ機２の片側に配置され互いに通信可能に接続されており、プリペイド媒体２２の残価値がゼロでない事を条件に、玉貸ボタン３８Ａの操作を示す貸出操作信号をパチンコ機２から受信した場合に遊技球の貸出指示信号を出力する」点が記載されている。
(f-2)　上記引１−ｅに示した段落【００２８】には、「ＣＲユニット３は、持玉を使って遊技球の払い出しを受けるための持玉使用ボタン（図示せず）をタッチ液晶モジュール２０に表示し、当該持玉使用ボタンが操作された場合には、所定玉数の遊技球の払出指示信号をパチンコ機２に出力する」点が記載されている。
(f-3)　上記引１−ｆに示した段落【００３６】には、「パチンコ機２は、」「貸出装置接続基板６２」「を備え」る点、及び、「貸出装置接続基板６２は、ＣＲユニット３と接続するための基板であり、この貸出装置接続基板６２を介してＣＲユニット３からパチンコ機２に貸出指示信号（持玉使用時にあっては払出指示信号）が出力され」る点が記載されている。
(g)　上記引１−ｆに示した段落【００３６】には、「貸出装置接続基板６２を介して」「玉貸し／払出しが正常に完了したか否かを示す貸出（払出）結果信号がパチンコ機２からＣＲユニット３に入力され」る点が記載されている。
(h)　上記引１−ｆに示した段落【００４２】には、「ＣＲユニット３は、遊技球の貸出操作や貯玉、持玉の払出操作ごとに、貸出玉数又は払出玉数を貸出装置管理持玉数に加算し、また遊技情報に含まれるアウト玉信号に基づいて貸出装置管理持玉数を減算更新し、さらに遊技情報に含まれるファウル玉或いは賞球を示す賞球信号に基づいて貸出装置管理持玉数を加算更新」する点が記載されており、段落【００４１】の記載より、「メイン制御汎用ＣＰＵ８７」が「持玉及び再プレイ可能玉数（貯玉数）を管理する」ものと認められる。
(i)　上記引１−ｇに示した段落【００４５】には、「ＣＲユニット３のメイン制御汎用ＣＰＵ８７は、ハンドル操作量報知制御部９２として機能」し、「ハンドル操作量報知制御部９２は、遊技球発射ハンドル１７の操作量を表示部たるタッチ液晶モジュール２０に表示して通知するものであり、操作量取得部９３」「を備え」、「操作量取得部９３は、パチンコ機２から入力された外部出力信号Ｓｏｕｔに含まれているハンドル操作量を取得」する点が記載されている。
(j)　上記引１−ｇに示した段落【００４５】には、「ハンドル操作量報知制御部９２は、遊技球発射ハンドル１７の操作量を表示部たるタッチ液晶モジュール２０に表示して通知するものであ」る点が記載されている。
(l)　上記引１−ｄに示した段落【００２３】には、「ＣＲユニット３は、プリペイド媒体２２が投入されている間、その残価値をタッチ液晶モジュール２０に表示」する点が記載されており、また、上記１−ｇに示した段落【００４５】には、「ハンドル操作量報知制御部９２は、遊技球発射ハンドル１７の操作量を表示部たるタッチ液晶モジュール２０に表示して通知する」点が記載されている。
　よって、タッチ液晶モジュール２０には、プリペイド媒体２２が投入されている間、その残価値が表示され、遊技球発射ハンドル１７の操作量が表示されて通知されるものと認められる。
ウ　引用発明
　よって、上記引１−ａないし引１−ｇ、引１−ｉ、引１−ｊに摘記した引用文献１の記載事項を総合すると、引用文献１には、以下の発明（以下、「引用発明」という。）が記載されているものと認められる。
「(a)　遊技球を遊技盤８の遊技領域に１発ずつ所定の時間間隔で発射する遊技球発射ハンドル１７が設けられ、遊技球発射ハンドル１７の操作に伴って発射された遊技球が始動口１１を通過したことを契機に特賞の当落抽選を行うパチンコ機２であり、遊技者が、価値媒体たるプリペイド媒体２２を購入、或いは、プリペイド媒体２２に現金をチャージし、該プリペイド媒体２２の残価値を代償として遊技球を借りて遊技するものである、各パチンコ機２の片側に配置され互いに通信可能に接続されたＣＲユニット３であって（【００１６】、【００１８】、【００２０】）、
(b)　メイン基板８０と、メイン基板８０が有する各部を中枢的に制御するメイン制御汎用ＣＰＵ８７を備え（【００４０】、【００４１】）、
(c-1)　プリペイド媒体２２にはＩＣを内蔵した硬貨形状のＩＣコイン２２Ａ及びカード型の会員カード２２Ｂが用いられ、
(c-2)　ＩＣコイン２２Ａを読み書きするコインＲ／Ｗ８１と、会員カード２２Ｂを読み書きするカードＲ／Ｗ８２を備え（【００２０】、【００４０】）、
(d-1)　メイン制御汎用ＣＰＵ８７は、キャッシュメモリを備え、当該キャッシュメモリを用いて、プリペイド残価値記憶部８８、貸出装置管理持玉数記憶部８９、再プレイ可能玉数記憶部９０、遊技機管理残玉数記憶部９１として機能し（【００４１】）、
(d-2)　プリペイド残価値記憶部８８は、プリペイド媒体２２の残価値を記憶するものであり（【００４１】）、
(d-3)　貸出装置管理持玉数記憶部８９は、ＣＲユニット３がパチンコ機２から受信した遊技情報に基づいて遊技者の持玉数（以下、「貸出装置管理持玉数」と言う）を算出し記憶するものであり（【００４２】）、
(d-4)　再プレイ可能玉数記憶部９０は、遊技者の貯玉数を記憶し、貯玉の払出操作に伴って貯玉数を減算更新するものであり（【００４４】）、
(e)　パチンコ機２及びタッチ液晶モジュール２０を接続するための接続基板である遊技機側外部入出力接続基板８４を備え（【００４０】）、
(f-1)　プリペイド媒体２２の残価値がゼロでない事を条件に、玉貸ボタン３８Ａの操作を示す貸出操作信号をパチンコ機２から受信した場合に遊技球の貸出指示信号を出力し（【００２０】）、
(f-2)　持玉を使って遊技球の払い出しを受けるための持玉使用ボタンをタッチ液晶モジュール２０に表示し、当該持玉使用ボタンが操作された場合には、所定玉数の遊技球の払出指示信号をパチンコ機２に出力し（【００２８】）、
(f-3)　パチンコ機２が備えるＣＲユニット３と接続するための基板である貸出装置接続基板６２を介してＣＲユニット３からパチンコ機２に貸出指示信号（持玉使用時にあっては払出指示信号）を出力し（【００３６】、図２、図４）、
(g)　玉貸し／払出しが正常に完了したか否かを示す貸出（払出）結果信号がパチンコ機２から入力され（【００３６】、図２、図４）、
(h)　メイン制御汎用ＣＰＵ８７は、遊技球の貸出操作や貯玉、持玉の払出操作ごとに、貸出玉数又は払出玉数を貸出装置管理持玉数に加算し、また遊技情報に含まれるアウト玉信号に基づいて貸出装置管理持玉数を減算更新し、さらに遊技情報に含まれるファウル玉或いは賞球を示す賞球信号に基づいて貸出装置管理持玉数を加算更新し（【００４２】）、
(i-1)　メイン制御汎用ＣＰＵ８７は、ハンドル操作量報知制御部９２として機能し、操作量取得部９３を備え、
(i-2)　操作量取得部９３は、パチンコ機２から入力された外部出力信号Ｓｏｕｔに含まれているハンドル操作量を取得し（【００４５】）、
(j)　ハンドル操作量報知制御部９２は、遊技球発射ハンドル１７の操作量を表示部たるタッチ液晶モジュール２０に表示して通知するものであり（【００４５】）、
(l)　タッチ液晶モジュール２０には、プリペイド媒体２２が投入されている間、その残価値が表示される（【００２３】）と共に、遊技球発射ハンドル１７の操作量が表示されて通知される（【００４５】）、
　ＣＲユニット。」
エ　引用文献２の記載事項
　同じく原査定の拒絶の理由で引用された本願の出願前に頒布された特開２０１２−１００７６６号公報（以下、「引用文献２」という。）には、次の事項が記載されている。
引２−ａ
「【００２７】
　まず、図１を参照して、遊技場内に複数配置されている各遊技島（図示略）に遊技機の一例の
封入循環式パチンコ機（以下パチンコ機またはＰ台と略称する）２
の側方位置に該パチンコ機２に対して
カードユニット（以下ＣＵと略称することもある）３が１対１に対応設置されている。
引２−ｂ
「【００５２】
　次に、図４を参照して、カードユニット３とパチンコ機２との制御回路の概略を説明する。
【００５３】
　
カードユニット３には、
メイン制御部３２３が設けられ
メイン制御部３２３には、
パチンコ機２の払出制御部１７との通信を行なうためのＣＵ通信制御部８０
引２−ｃ
「【００５７】
　パチンコ機２には、パチンコ機２の遊技の進行制御を行なう主制御基板１６と、払出制御部１７と、発射制御基板３１と、遊技玉制御部３４と、発射部３９と、演出部５０とが備えられている。
【００５８】
　
メイン制御部３２３には、
ＣＵ通信制御部８０が接続されており、このＣＵ通信制御部８０とパチンコ機２に設けられたＰ台通信制御部８１とが、
電気的に接続されている。
引２−ｄ
「【０２４３】
　・・・（略）・・・ＣＵからＰ台に対してコマンドが送信され、Ｐ台はそのコマンドに応答してレスポンスをＣＵに返信する。ＣＵは、そのレスポンスを受信した後次のコマンドをＰ台に送信し、Ｐ台はそのコマンドに応答してレスポンスをＣＵへ返信する。図２１に示すように、ＣＵからＰ台への最初のコマンドの送信から次のコマンドの送信までの期間が、２００ｍｓすなわち０．２秒に制御される。またＰ台からＣＵへのレスポンスの送信を行なった後次のレスポンスの送信までの期間が２００ｍｓすなわち０．２秒に制御される。
【０２４４】
　このように、
ＣＵとＰ台との間で２００ｍｓの間隔でコマンドおよびレスポンスの双方が送信される。
【０２４５】
　それゆえ、Ｐ台からＣＵへは、遊技玉数の変化量を通知するための動作応答のレスポンスが玉の発射時間間隔よりも短い間隔で次々と送信されることになる。その結果、Ｐ台は、遊技玉数の変化量を細やかにＣＵに対して通知可能となる。一方、ＣＵは、Ｐ台側での持点の変化を細やかに反映させた持点管理が可能となる。」
引２−ｅ
「【０２５１】
　まず、電源起動時においては、Ｐ台では打球発射モータ１８を停止させて遊技を停止させてから通信を開始する。
ＣＵでは、まず認証シーケンスの処理が実行される。
この認証シーケンスの処理により、ＣＵからＰ台に対して、機器情報要求のコマンドが送信される。Ｐ台では、それを受けて、機器情報応答のレスポンスを返信する。この機器情報応答のレスポンスには、メインチップＩＤと払出チップＩＤとが含まれている。
【０２５２】
　
機器情報応答を受信したＣＵは、機器情報応答に含まれる情報を記憶し、応答があったＰ台（受信したメインチップＩＤと払出チップＩＤとにより特定されるＰ台）に対して、認証要求のデータをＰ台へ送信する。
【０２５３】
 　
認証要求を受信したＰ台は、認証応答をＣＵへ返信する。
　・・・（略）・・・」
引２−ｆ
「【０２５４】
　・・・（略）・・・。メイン制御部３２３は、上位サーバ８０１との認証を完了してから通信を開始する。ＣＵ通信制御部８０は、Ｐ台通信制御部８１との認証を完了してから通信を開始する。そして、
メイン制御部とＣＵ通信制御部との間で、まず機器認証シーケンスが実行され、次に単体認証シーケンスが実行される。
引２−ｇ
「【０２５８】
  図２５に戻り、次に
メイン制御部３２３とＣＵ通信制御部８０との間で、単体認証シーケンスが実行される。
【０２５９】
　図２７では、まず、
メイン制御部３２３からＣＵ通信制御部８０に対して単体認証要求１を送信する。それを受けたＣＵ通信制御部８０では、乱数等によるランダムな数値列を生成してチャレンジコードＡを生成してそれを単体認証応答１としてメイン制御部３２３へ送信する。メイン制御部３２３では、その受信したチャレンジコードＡとＥＥＰＲＯＭ８０８に記憶しているメイン制御部のＳＩＤとを所定のアルゴリズムに従って合成してレスポンスコードＡを生成し、それを単体認証要求２としてＣＵ通信制御部８０へ送信する。ＣＵ通信制御部８０では、単体認証応答１として送信したチャレンジコードＡに対してＥＥＰＲＯＭ８１３に記憶しているメイン制御部のＳＩＤを所定のアルゴリズムに従って合成して同様にレスポンスコードＡを生成し、その生成したレスポンスコードＡとメイン制御部３２３から受信したレスポンスコードＡとを比較して一致するか否か判定する。一致すれば認証成功（認証結果適正）となり、一致しなければ認証不成功（認証結果不適正）となる。
【０２６０】
　
ＣＵ通信制御部８０は、その認証結果を単体認証応答２としてメイン制御部３２３へ送信する。
【０２６１】
　
メイン制御部３２３は、ＣＵ通信制御部８０を認証するべく、乱数等のランダムな数値列からなるチャレンジコードＢを生成して単体認証要求３としてＣＵ通信制御部８０へ送信する。ＣＵ通信制御部８０は、受信したチャレンジコードＢとＲＯＭ８０９に記憶しているＣＵ通信制御部のＳＩＤとを所定のアルゴリズムに従って合成してレスポンスコードＢを生成し、メイン制御部３２３へ送信する。メイン制御部３２３は、単体認証要求３として送信したチャレンジコードＢとＥＥＰＲＯＭ８０８に記憶しているＣＵ通信制御部のＳＩＤとを所定のアルゴリズムに従って合成して同様にレスポンスコードＢを生成し、その生成したレスポンスコードＢと単体認証応答３として受信したレスポンスコードＢとを比較して一致するか否か判定する。一致すると判定された場合には認証成功（認証結果適正）となり、不一致の場合には認証不成功（認証結果不適正）となる。メイン制御部３２３は、その認証結果を単体認証要求４としてＣＵ通信制御部８０へ送信する。それを受けたＣＵ通信制御部８０は単体認証応答４をメイン制御部３２３に応答する。
引２−ｈ
「【０２６５】
　
メイン制御部３２３は、次に機器情報要求をＣＵ通信制御部８０へ送信し、ＣＵ通信制御部８０はその受信した機器情報要求をＰ台へ送信する
、そして、Ｐ台から機器情報応答が送信されてきた場合にそれをＣＵ通信制御部８０が受信し、その受信した機器情報応答をメイン制御部３２３へ送信する。次にメイン制御部３２３は現在の時刻をＣＵ通信制御部８０へ送信する。ＣＵ通信制御部８０は、その時刻情報を受信して、ＥＥＰＲＯＭ８１３に記憶している認証鍵と受信した時刻情報とからセッション鍵（電文鍵）を生成して、時刻応答してメイン制御部３２３へ送信する。
【０２６６】
　
次に、メイン制御部３２３とＣＵ通信制御部８０との間で、
機器認証シーケンスと同様の認証シーケンスをセッション鍵を用いて実行する。そして、認証結果適正である場合に、それ以降メイン制御部３２３とＣＵ通信制御部８０との間での暗号通信をセッション鍵を用いて暗号化および復号して行なう。
【０２６７】
　図２５の
セッション鍵による認証シーケンスの結果適正な認証結果が得られた場合に、
業務電文シーケンスを実行する。
【０２６８】
　
まず
メイン制御部３２３からＣＵ通信制御部８０に対して、動作指示のコマンドが送信された後、その動作指示電文の通信状態の確認要求（通信状態要求）をＣＵ通信制御部８０へ送信する。ＣＵ通信制御部８０は、動作指示電文の受信状況（ＭＡＣ異常、ＣＲＣ異常、復号異常、データ長異常、断線検知）を通信状態応答としてメイン制御部３２３へ通知する
。
【０２６９】
  
メイン制御部３２３は、その受信した通信状態応答に基づいて通信状態を確認し、正常な場合には正常と判断する。
【０２７０】
　
一方、ＣＵ通信制御部８０は、前述の動作指示のコマンドを受信したことに基づいてその動作指示のコマンドをＰ台（具体的にはＰ台通信制御部８１）へ送信する。それを受けたＰ台では、動作応答をＣＵ通信制御部８０へ返信し、ＣＵ通信制御部８０はそれを受けてその動作応答のレスポンスをメイン制御部３２３へ送信する。
【０２７１】
　・・・（略）・・・
【０２７２】
　
次に、
認証応答を受信したＣＵは、次にリカバリ要求をＰ台へ送信する。それを受けたＰ台では、Ｐ台内部（具体的には払出制御部１７）でバックアップしているリカバリデータをレスポンスとしてＣＵへ返信する。
【０２７３】
　
このリカバリ応答を受信したＣＵはその時点からリカバリ処理を開始する。
【０２７４】
　・・・（略）・・・
【０２７５】
　
ＣＵは、リカバリ処理が終了した後、メインチップＩＤ、払出チップＩＤ、接続時刻をＰ台から受信した値に更新するとともに、
通信開始要求（リカバリクリアＯＮ）のコマンドをＰ台へ送信する。Ｐ台では、それを受けて、リカバリデータをクリアするとともに、ＣＵより受信した新たな接続時刻のデータをバックアップする。そして、Ｐ台は、通信開始応答をＣＵへ返信する。これ以降、ＣＵとＰ台との間で、動作指示のコマンドおよび動作応答のレスポンスの送受信が行なわれる。」
（ア）　上記引２−ａに示した段落【００２７】において、封入循環式パチンコ機（Ｐ台）２の側方位置に該パチンコ機２に対して１対１に対応設置されたカードユニット（ＣＵ）３が記載されており、上記引２−ｂに示した段落【００５３】及び上記引２−ｃに示した段落【００５８】を参照すると、カードユニット３にはメイン制御部３２３が設けられ、メイン制御部３２３には、パチンコ機２に設けられたＰ台通信制御部８１との通信を行なうためのＣＵ通信制御部８０が接続される点が記載されている。
　また、上記引２−ｅに示した段落【０２５１】には「ＣＵでは、まず認証シーケンスの処理が実行される。」と記載されている。
　そして、上記引２−ｆに示した段落【０２５４】には、「メイン制御部とＣＵ通信制御部との間で、まず機器認証シーケンスが実行され、次に単体認証シーケンスが実行される。」と記載されており、また、上記引２−ｇに示した段落【０２５８】には、「メイン制御部３２３とＣＵ通信制御部８０との間で、単体認証シーケンスが実行される。」と記載され、さらに段落【０２５９】には、「メイン制御部３２３からＣＵ通信制御部８０に対して単体認証要求１を送信する。それを受けたＣＵ通信制御部８０では、乱数等によるランダムな数値列を生成してチャレンジコードＡを生成してそれを単体認証応答１としてメイン制御部３２３へ送信する。メイン制御部３２３では、その受信したチャレンジコードＡとＥＥＰＲＯＭ８０８に記憶しているメイン制御部のＳＩＤとを所定のアルゴリズムに従って合成してレスポンスコードＡを生成し、それを単体認証要求２としてＣＵ通信制御部８０へ送信する。ＣＵ通信制御部８０では、単体認証応答１として送信したチャレンジコードＡに対してＥＥＰＲＯＭ８１３に記憶しているメイン制御部のＳＩＤを所定のアルゴリズムに従って合成して同様にレスポンスコードＡを生成し、その生成したレスポンスコードＡとメイン制御部３２３から受信したレスポンスコードＡとを比較して一致するか否か判定する。一致すれば認証成功（認証結果適正）となり、一致しなければ認証不成功（認証結果不適正）となる。」と記載され、段落【０２６０】には、「ＣＵ通信制御部８０は、その認証結果を単体認証応答２としてメイン制御部３２３へ送信する。」と記載されている。
　したがって、上記段落【０２５９】、【０２６０】の記載より、ＣＵ通信制御部８０は、メイン制御部３２３の認証を行う手段を有する点が理解できる。
　一方、段落【０２６１】には、「メイン制御部３２３は、ＣＵ通信制御部８０を認証するべく、乱数等のランダムな数値列からなるチャレンジコードＢを生成して単体認証要求３としてＣＵ通信制御部８０へ送信する。ＣＵ通信制御部８０は、受信したチャレンジコードＢとＲＯＭ８０９に記憶しているＣＵ通信制御部のＳＩＤとを所定のアルゴリズムに従って合成してレスポンスコードＢを生成し、メイン制御部３２３へ送信する。メイン制御部３２３は、単体認証要求３として送信したチャレンジコードＢとＥＥＰＲＯＭ８０８に記憶しているＣＵ通信制御部のＳＩＤとを所定のアルゴリズムに従って合成して同様にレスポンスコードＢを生成し、その生成したレスポンスコードＢと単体認証応答３として受信したレスポンスコードＢとを比較して一致するか否か判定する。一致すると判定された場合には認証成功（認証結果適正）となり、不一致の場合には認証不成功（認証結果不適正）となる。メイン制御部３２３は、その認証結果を単体認証要求４としてＣＵ通信制御部８０へ送信する。それを受けたＣＵ通信制御部８０は単体認証応答４をメイン制御部３２３に応答する。」と記載されている。
　したがって、上記段落【０２６１】の記載より、メイン制御部３２３は、ＣＵ通信制御部８０の認証を行う手段を有する点が理解できる。
　以上のことから、引用文献２には、「封入循環式パチンコ機２の側方位置に設置されたカードユニット３であって、メイン制御部３２３が設けられ、メイン制御部３２３には、パチンコ機２に設けられたＰ台通信制御部８１との通信を行なうためのＣＵ通信制御部８０が接続される、カードユニット３において、ＣＵ通信制御部８０はメイン制御部３２３の認証を行う手段を有し、メイン制御部３２３はＣＵ通信制御部８０の認証を行う手段を有することによって、相互の認証を行う構成」が記載されていると認められる。
（イ）　また、上記引２−ｅに示した段落【０２５１】ないし【０２５３】には、「この認証シーケンスの処理により、ＣＵからＰ台に対して、機器情報要求のコマンドが送信される。Ｐ台では、それを受けて、機器情報応答のレスポンスを返信する。この機器情報応答のレスポンスには、メインチップＩＤと払出チップＩＤとが含まれている。」「機器情報応答を受信したＣＵは、機器情報応答に含まれる情報を記憶し、応答があったＰ台（受信したメインチップＩＤと払出チップＩＤとにより特定されるＰ台）に対して、認証要求のデータをＰ台へ送信する。」「認証要求を受信したＰ台は、認証応答をＣＵへ返信する。」と記載され、上記引２−ｈに示した段落【０２６５】には、「メイン制御部３２３は、次に機器情報要求をＣＵ通信制御部８０へ送信し、ＣＵ通信制御部８０はその受信した機器情報要求をＰ台へ送信する、」「そして、Ｐ台から機器情報応答が送信されてきた場合にそれをＣＵ通信制御部８０が受信し、その受信した機器情報応答をメイン制御部３２３へ送信する。次にメイン制御部３２３は現在の時刻をＣＵ通信制御部８０へ送信する。ＣＵ通信制御部８０は、その時刻情報を受信して、ＥＥＰＲＯＭ８１３に記憶している認証鍵と受信した時刻情報とからセッション鍵（電文鍵）を生成して、時刻応答してメイン制御部３２３へ送信する。」と記載され、段落【０２６６】、【０２６７】には「次に、メイン制御部３２３とＣＵ通信制御部８０との間で、」「機器認証シーケンスと同様の認証シーケンスをセッション鍵を用いて実行する。そして、認証結果適正である場合に、それ以降メイン制御部３２３とＣＵ通信制御部８０との間での暗号通信をセッション鍵を用いて暗号化および復号して行なう。」「セッション鍵による認証シーケンスの結果適正な認証結果が得られた場合に、」「業務電文シーケンスを実行する。」と記載され、段落【０２６８】ないし【０２７０】には、「まず」、「メイン制御部３２３からＣＵ通信制御部８０に対して、動作指示のコマンドが送信された後、その動作指示電文の通信状態の確認要求（通信状態要求）をＣＵ通信制御部８０へ送信する。ＣＵ通信制御部８０は、動作指示電文の受信状況（ＭＡＣ異常、ＣＲＣ異常、復号異常、データ長異常、断線検知）を通信状態応答としてメイン制御部３２３へ通知する」。「メイン制御部３２３は、その受信した通信状態応答に基づいて通信状態を確認し、正常な場合には正常と判断する。」と記載され、上記段落【０２７０】には、「一方、ＣＵ通信制御部８０は、前述の動作指示のコマンドを受信したことに基づいてその動作指示のコマンドをＰ台（具体的にはＰ台通信制御部８１）へ送信する。それを受けたＰ台では、動作応答をＣＵ通信制御部８０へ返信し、ＣＵ通信制御部８０はそれを受けてその動作応答のレスポンスをメイン制御部３２３へ送信する。」と記載されている。
　さらに、上記引２−ｈに示した段落【０２７２】ないし【０２７５】には、「次に、」「認証応答を受信したＣＵは、次にリカバリ要求をＰ台へ送信する。それを受けたＰ台では、Ｐ台内部（具体的には払出制御部１７）でバックアップしているリカバリデータをレスポンスとしてＣＵへ返信する。」「このリカバリ応答を受信したＣＵはその時点からリカバリ処理を開始する。」「ＣＵは、リカバリ処理が終了した後、メインチップＩＤ、払出チップＩＤ、接続時刻をＰ台から受信した値に更新するとともに、」「通信開始要求（リカバリクリアＯＮ）のコマンドをＰ台へ送信する。Ｐ台では、それを受けて、リカバリデータをクリアするとともに、ＣＵより受信した新たな接続時刻のデータをバックアップする。そして、Ｐ台は、通信開始応答をＣＵへ返信する。これ以降、ＣＵとＰ台との間で、動作指示のコマンドおよび動作応答のレスポンスの送受信が行なわれる。」と記載されている。
　以上の記載より、上記引用文献２には、「ＣＵ通信制御部８０は、Ｐ台通信制御部８１との認証を完了してから通信を開始するもの」であることが理解できる。
　また、上記引２−ｄに示した段落【０２４４】に記載されたように、「ＣＵとＰ台との間で２００ｍｓの間隔でコマンドおよびレスポンスの双方が送信され」るものである。
　よって、上記引用文献２には、「ＣＵ通信制御部８０は、Ｐ台通信制御部８１との認証を完了してから通信を開始するものであって、ＣＵとＰ台との間で２００ｍｓの間隔でコマンドおよびレスポンスの双方が送信される構成」が記載されていると認められる。
（ウ）　上記（ア）及び（イ）より、上記引用文献２には、「封入循環式パチンコ機２の側方位置に設置されたカードユニット３であって、メイン制御部３２３が設けられ、メイン制御部３２３には、パチンコ機２に設けられたＰ台通信制御部８１との通信を行なうためのＣＵ通信制御部８０が接続される、カードユニット３において、ＣＵ通信制御部８０はメイン制御部３２３の認証を行う手段を有し、メイン制御部３２３はＣＵ通信制御部８０の認証を行う手段を有することによって、相互の認証を行い、ＣＵ通信制御部８０は、Ｐ台通信制御部８１との認証を完了してから通信を開始するものであって、ＣＵとＰ台との間で２００ｍｓの間隔でコマンドおよびレスポンスの双方が送信される構成」（以下、「引用文献２記載事項」という。）が記載されていると認められる。
オ　引用文献３の記載事項
　本願の出願前に頒布された特開２０１２−１５２４４９号公報（以下、「引用文献３」という。）には、次の事項が記載されている
引３−ａ
「【００５０】
　図５（Ａ）、（Ｂ）は、タッチ液晶モジュール２０に表示される遊技球表示演出画面の例を示す図である。図５（Ａ）、（Ｂ）に示す遊技球表示演出画面２００は、画面最上部に遊技店の店名、ロゴ等を表示する店名表示部２０１、及びこのタッチ液晶モジュール２０が設けられたパチンコ機２の台番号を表示する台番号表示部２０２が配置されている。また、
遊技球表示演出画面２００には、遊技データ表示部２０３、プレイ可能玉数表示部２０４、プリペイド残価値表示部２１０、会員固有画像表示部２１１、ハンドル状態表示部２１２、及び、ハンドル操作ゲージ２１３が配置されている。
　遊技データ表示部２０３には、パチンコ機２の遊技の履歴が表示され、例えば大当り回数、確変回数、スタート回数、大当り確率が表示される。遊技データ表示部２０３に表示される情報は、ＣＲユニット３が、パチンコ機２が入力する外部出力信号に基づいて集計したデータや、ＣＲユニット３が遊技結果管理サーバ４６から取得したデータが表示される。プレイ可能玉数表示部２０４には、貸出装置管理持玉数記憶部８９が記憶する貸出装置管理持玉数がプレイ可能玉数として表示される。プリペイド残価値表示部２１０には、プリペイド残価値記憶部８８に記憶されているプリペイド残価値が、ＣＲユニット３に設定されている遊技球の貸出単価及び１回の貸出操作あたりの払出玉数とともに金額表示され、会員固有画像表示部２１１には、会員カード２２Ｂから読み取った会員番号に基づいて、ＣＲユニット３が顧客管理サーバ４１または装飾情報管理サーバ４８から取得した会員固有の画像（アバター等）が表示される。また、会員カード２２Ｂに、会員固有の画像
の画像データが記憶されている場合、メイン制御汎用ＣＰＵ８７は、カードＲ／Ｗ８２により画像データを読み取って、会員固有画像表示部２１１に表示する。ＣＲユニット３に投入されたプリペイド媒体２２がＩＣコイン２２Ａであった場合や、会員固有の画像データがない場合には、メイン制御汎用ＣＰＵ８７は予め用意された画像を表示してもよい。この場合に、パチンコ機２の遊技状態（通常遊技状態、特別遊技状態、大当り発生時か否か等）に応じた画像を、パチンコ機２の遊技状態の変化に合わせて切り換えて表示してもよい。
【００５１】
　
ハンドル状態表示部２１２、及び、ハンドル操作ゲージ２１３は、パチンコ機２が備える遊技球発射ハンドル１７（図１）の操作量を視覚的に表示する
　遊技球表示演出画面２００の下部には、一般的なパチンコ機の上皿を模した球画像表示部２２０が配置されている。球画像表示部２２０は、その全体が遊技球を貯留する上皿の外観の画像であり、一端にはパチンコ機２が賞球を払い出す際に遊技球が放出される球払出口２２１が表示され、中央には球払出口２２１から排出された遊技球を貯留する球貯留部２２２が表示され、他端にはパチンコ機２に対して遊技球を供給する球供給口２２３が配置されている。パチンコ機２が賞球の払出を行い、賞球数を示す外部出力信号を出力すると、表示演出制御部９２は、球払出口２２１から賞球数分の遊技球画像１０５を出現させる。このとき、球払出口２２１の下方に配置された賞球数表示部２２５には、払い出された賞球数がその都度表示される。出現した遊技球画像１０５は球貯留部２２２に移動して、配列される。
　また、ＣＲユニット３において、プリペイド媒体２２の残価値に基づき貸し玉が行われた場合には、新たに貸し出された遊技球の数と同数の遊技球画像１０５が、球払出口２２１から出現する。この場合、メイン制御汎用ＣＰＵ８７は貸出単価に基づいてプリペイド残価値記憶部８８が記憶するプリペイド残価値を減算するとともに、プリペイド残価値表示部２１０の表示を更新する。また、貸し玉数に応じて、貸出装置管理持玉数記憶部８９が記憶する貸出装置管理持玉数を増加させ、プレイ可能玉数表示部２０４の表示を更新する。」
引３−ｂ　図５
「
」
　上記引３−ａに示した段落【００５０】には、「遊技球表示演出画面２００には、遊技データ表示部２０３、プレイ可能玉数表示部２０４、プリペイド残価値表示部２１０、会員固有画像表示部２１１、ハンドル状態表示部２１２、及び、ハンドル操作ゲージ２１３が配置されている。」と記載され、段落【００５１】には、「ハンドル状態表示部２１２、及び、ハンドル操作ゲージ２１３は、パチンコ機２が備える遊技球発射ハンドル１７（図１）の操作量を視覚的に表示する」と記載されている。そして、「プリペイド残価値表示部２１０」に表示される値は、「プリペイド残価値」であり、「ハンドル状態表示部２１２、及び、ハンドル操作ゲージ２１３」に示されるものは、「ハンドル操作状態の表示」であることは、当業者にとって明らかであり、図５を参照すると、それらは同時に表示されるものである。
　したがって、引用文献３には、「遊技球表示演出画面２００に、プリペイド残価値と、ハンドル操作状態の表示を同時に表示する構成」（以下、「引用文献３記載事項」という。）が記載されている。
（３）本願補正発明と引用発明との対比
　本願補正発明と引用発明とを対比する。
ア　本願補正発明の(A)の特定事項について
（ア）　引用発明の「遊技球」、「遊技盤８の遊技領域」、「遊技球発射ハンドル１７」、「始動口１１」、「パチンコ機２」、「ＣＲユニット３」は、それぞれ、本願補正発明の「遊技玉」、「遊技盤面」、「操作部」、「入賞口」、「遊技機」、「各台対応装置」に相当する。
（イ）　引用発明の「遊技球発射ハンドル１７の操作に伴って」「遊技球を遊技盤８の遊技領域に１発ずつ所定の時間間隔で発射する」ことは、本願補正発明の「遊技者による所定の操作部への操作によって遊技玉を遊技盤面に供給」することに相当する。
（ウ）　引用発明の「遊技球が始動口１１を通過したこと」は、本願補正発明の「遊技盤面を流下した遊技玉が所定の入賞口に入った場合」に相当する。
（エ）　引用発明の「遊技球が始動口１１を通過したことを契機に特賞の当落抽選を行う」ことは、当落抽選を行うことによって、賞を付与するか否かを決めるものであるから、賞を付与する機能を有するものである。
　よって、引用発明の「遊技球が始動口１１を通過したことを契機に特賞の当落抽選を行う」ことは、本願補正発明の「遊技盤面を流下した遊技玉が所定の入賞口に入った場合に賞を付与する機能を有」することに相当する。
（オ）　引用発明において「遊技球発射ハンドル１７の操作」によって、遊技球の流下態様が調整可能であることは、当業者にとって自明である。
　よって、引用発明の「遊技球発射ハンドル１７の操作に伴って」「遊技球」を「発射」する「パチンコ機２」は、「操作部への操作態様により遊技盤面に供給する遊技玉の流下態様を調整可能な遊技機」に相当する。
（カ）　引用発明の「各パチンコ機２の片側に配置され互いに通信可能に接続されたＣＲユニット３」は、本願補正発明の「遊技機に対応して設けられる各台対応装置」に相当する。
（キ）　以上のことから、引用発明の「遊技球を遊技盤８の遊技領域に１発ずつ所定の時間間隔で発射する遊技球発射ハンドル１７が設けられ、遊技球発射ハンドル１７の操作に伴って発射された遊技球が始動口１１を通過したことを契機に特賞の当落抽選を行うパチンコ機において、各パチンコ機２の片側に配置され互いに通信可能に接続されたＣＲユニット３」は、本願補正発明の「遊技者による所定の操作部への操作によって遊技玉を遊技盤面に供給し、遊技盤面を流下した遊技玉が所定の入賞口に入った場合に賞を付与する機能を有し、前記操作部への操作態様により遊技盤面に供給する遊技玉の流下態様を調整可能な遊技機に対応して設けられる各台対応装置」に相当する。
イ　本願補正発明の(B)の特定事項について
　引用発明の「メイン基板」が「備え」る「各部を中枢的に制御するメイン制御汎用ＣＰＵ８７」は、本願補正発明の「前記各台対応装置の動作を制御する制御手段」に相当する。
ウ　本願補正発明の(C)の特定事項について
（ア）　引用発明の「ＩＣを内蔵した硬貨形状のＩＣコイン２２Ａ及びカード型の会員カード２２Ｂが用いられ」る「プリペイド媒体２２」は、本願補正発明の「記録媒体」に相当する。
（イ）　引用発明の「ＩＣコイン２２Ａを読み書きするコインＲ／Ｗ８１」及び「会員カード２２Ｂを読み書きするカードＲ／Ｗ８２」は、本願補正発明の「所定の記録媒体の処理を行う記録媒体処理手段」に相当する。
エ　本願補正発明の(D)の特定事項について
（ア）　引用発明の「プリペイド媒体２２の残価値」は、本願補正発明の「前記記録媒体に関連付けられた有価価値」に相当する。
（イ）　引用発明の(d-3)「パチンコ機２から受信した遊技情報に基づいて」「算出」する「遊技者の持玉数」及び(d-4)「遊技者の貯玉数」は、本願補正発明の「遊技媒体数」に相当する。
（ウ）　引用発明の「プリペイド残価値記憶部８８」は、特定の「プリペイド媒体２２の残価値を記憶するもの」であり、「貸出装置管理持玉数記憶部８９」は、特定の「遊技者の持玉数」を「記憶」し、「再プレイ可能玉数記憶部９０」は、特定の「遊技者の貯玉数」を「記憶」するものであるから、引用発明の「プリペイド媒体２２の残価値を記憶する」「プリペイド残価値記憶部８８」、「遊技者の持玉数」「を算出し記憶する」「貸出装置管理持玉数記憶部８９」、「遊技者の貯玉数」を「記憶」する「再プレイ可能玉数記憶部９０」を併せたものは、本願補正発明の「前記記録媒体に関連付けられた有価価値及び遊技媒体数を特定して記憶する記憶手段」に相当する。
オ　本願補正発明の(E)の特定事項について
（ア）　引用発明の「ＣＲユニット３」は、「パチンコ機２」と(a)「互いに通信可能に接続された」ものである。
（イ）　引用発明の「パチンコ機２」「を接続するための接続基板である遊技機側外部入出力接続基板８４」は、当該基板により「パチンコ機２」と「互いに通信可能」とされるものであるから、通信手段であるといえる。
（ウ）　よって、引用発明の「パチンコ機２」「を接続するための接続基板である遊技機側外部入出力接続基板８４」と、本願補正発明の「前記制御手段の認証を行う認証手段を有し、前記遊技機と通信を行う通信手段」は、「前記遊技機と通信を行う通信手段」を有する点で共通する。
カ　本願補正発明の(F)の特定事項について
（ア）　引用発明の(f-1)「玉貸ボタン３８Ａの操作」又は(f-2)「持玉使用ボタン」の「操作」は、本願補正発明の「所定の操作」に相当する。そして、引用発明の(f-1)「玉貸ボタン３８Ａの操作を示す貸出操作信号をパチンコ機２から受信した場合」又は(f-2)「持玉使用ボタンが操作された場合」は、本願補正発明の「所定の操作を受け付けた場合」に相当する。
（イ）　引用発明の(f-1)「遊技球の貸出指示信号」は、遊技球の貸出の指示を行う信号であるから、貸出する遊技球の数を特定可能な情報を含むことは、当業者にとって明らかであり、この「遊技球の貸出指示信号」は、本願補正発明の「遊技媒体数を特定可能な情報」に相当する。また、引用発明の(f-2)「所定玉数の遊技球の払出指示信号」も、本願補正発明の「遊技媒体数を特定可能な情報」に相当する。
　そして、引用発明は、「貸出装置管理持玉数記憶部８９」に(d-3)「貸出装置管理持玉数」を、又は、(d-4)「再プレイ可能玉数記憶部９０」に「貯玉数」を記憶していることから、上記遊技球の数は、(d-3)「貸出装置管理持玉数」に「記憶」された遊技球の数、又は、(d-4)「再プレイ可能玉数記憶部９０」に「記憶」された遊技球の数といえ、それは、本願補正発明の「前記記憶手段に記憶した遊技媒体数」に相当する。
（ウ）　引用発明は「ＣＲユニット３からパチンコ機２に貸出指示信号（持玉使用時にあっては払出指示信号）」を「出力」するにあたって、「接続基板である遊技機側外部入出力接続基板８４」を介して出力することは明らかであるから、引用発明の「ＣＲユニット３からパチンコ機２に貸出指示信号」を「出力」する「遊技機側外部入出力接続基板８４」は、本願補正発明の「前記遊技機に対して」「遊技媒体数を特定可能な情報を前記通信手段を介して送信する送信手段」に相当する。
（エ）　以上のことから、引用発明の(f-1)「玉貸ボタン３８Ａの操作を示す貸出操作信号をパチンコ機２から受信した場合」又は(f-2)「持玉使用ボタンが操作された場合」に、「ＣＲユニット３からパチンコ機２に」「遊技球の貸出指示信号」を「出力」する「遊技機側外部入出力接続基板８４」は、本願補正発明の「所定の操作を受け付けた場合に、前記遊技機に対して前記記憶手段に記憶した遊技媒体数を特定可能な情報を前記通信手段を介して送信する送信手段」に相当する。
キ　本願補正発明の(G)の特定事項について
（ア）　引用発明は、(h)「遊技球の貸出操作や貯玉、持玉の払出操作ごとに、貸出玉数又は払出玉数を貸出装置管理持玉数に加算」するものであり、「貸出玉数」又は「払出玉数」が特定されるものである。
（イ）　そして、引用発明は、「玉貸し／払出しが正常に完了したか否かを示す貸出（払出）結果信号がパチンコ機２から入力され」るものであり、「玉貸し／払出しが正常に完了したか否か」の判断を行う場合において、その判断には、「玉貸し／払出し」が実行されたか否かの判断に加えて「玉貸し／払出し」が行われた「貸出玉数」又は「払出玉数」が適正であるか否かの判断も行われることは、当業者にとって明らかである。
（ウ）　したがって、「パチンコ機２からＣＲユニット３に入力され」る「玉貸し／払出しが正常に完了したか否かを示す貸出（払出）結果信号」には、「貸出玉数」又は「払出玉数」の情報が含まれると認められる。
（エ）　一方、(d-3)(h)「ＣＲユニット３がパチンコ機２から受信した遊技情報」「に含まれるアウト玉信号」及び「ファウル玉或いは賞球を示す賞球信号」は、それらの信号に基づいて(h)「貸出装置管理持玉数を減算更新」又は「加算更新」するものであるから、減算又は加算のための「遊技球」の数の情報を含むことは明らかである。
（オ）　よって、上記「貸出（払出）結果信号」、及び、「アウト玉信号」と「ファウル玉或いは賞球を示す賞球信号」とを含む上記「遊技情報」は、本願補正発明の「移行分の遊技媒体数を特定可能な情報」に相当する。
（カ）　また、上記「オ（イ）」に示したように、引用発明の「遊技機側外部入出力接続基板８４」は、本願補正発明の「通信手段」に相当するとともに、引用発明は、「遊技機側外部入出力接続基板８４」を介してパチンコ機２からの信号を受信していることから、引用発明の「遊技機側外部入出力接続基板８４」は、本願補正発明の「受信手段」に相当する。
（キ）　よって、引用発明の「玉貸し／払出しが正常に完了したか否かを示す貸出（払出）結果信号」及び「アウト玉信号」と「ファウル玉或いは賞球を示す賞球信号」とを含む「遊技情報」が「パチンコ機２から入力」する「遊技機側外部入出力接続基板８４」は、本願補正発明の「前記遊技機から移行分の遊技媒体数を特定可能な情報を前記通信手段を介して受信する受信手段」に相当する。
ク　本願補正発明の(H)の特定事項について
（ア）　引用発明は、(h)「遊技球の貸出操作や貯玉、持玉の払出操作ごとに、貸出玉数又は払出玉数を貸出装置管理持玉数に加算」するものであり、また、(d-3)(h)「パチンコ機２から受信した遊技情報」「に含まれる」「アウト玉信号」又は「ファウル玉或いは賞球を示す賞球信号」「に基づいて貸出装置管理持玉数を」「更新」するものであるから、貸出装置管理持玉数を更新するための更新手段を有することは明らかである。
　よって、引用発明の(h)「遊技球の貸出操作や貯玉、持玉の払出操作ごとに、貸出玉数又は払出玉数を貸出装置管理持玉数に加算」する手段、及び、(d-3)(h)「パチンコ機２から受信した遊技情報」「に含まれる」「アウト玉信号」又は「ファウル玉或いは賞球を示す賞球信号」「に基づいて貸出装置管理持玉数を」「更新」する手段は、本願補正発明の「前記受信手段に受信した情報に基づいて前記記憶手段に記憶した遊技媒体数を更新する更新手段」に相当する。
ケ　本願補正発明の(I)の特定事項について
（ア）　引用発明の「ハンドル操作量を取得」する「操作量取得部９３」は、本願補正発明の「操作部への操作態様に関する情報を取得する操作情報取得手段」に相当する。
（イ）　また、引用発明は、「パチンコ機２から入力された外部出力信号Ｓｏｕｔに含まれているハンドル操作量を取得」するものであるから、「遊技機側外部入出力接続基板８４」を介して取得されるものであることは明らかである。
（ウ）　よって、引用発明の「遊技機側外部入出力接続基板８４」を介して「パチンコ機２から入力された外部出力信号Ｓｏｕｔに含まれているハンドル操作量を取得」する「操作量取得部９３」は、本願補正発明の「前記通信手段を介して前記操作部への操作態様に関する情報を取得する操作情報取得手段」に相当する。
コ　本願補正発明の(J)の特定事項について
　引用発明の「遊技球発射ハンドル１７の操作量を表示部たるタッチ液晶モジュール２０に表示して通知する」「ハンドル操作量報知制御部９２」は、本願補正発明の「前記操作情報取得手段により取得された情報に基づいて、前記操作部への操作態様に関する表示を所定の表示部において行う操作情報表示制御手段」に相当する。
サ　本願補正発明の(K)の特定事項について
　引用発明は、本願補正発明の(K)の特定事項に対応する構成を有しない。
シ　本願補正発明の(L)の特定事項について
　引用発明の「タッチ液晶モジュール２０には」、「プリペイド媒体２２が投入されている間、その残価値をタッチ液晶モジュール２０に表示され」、「遊技球発射ハンドル１７の操作量を表示されて通知される」構成と、本願補正発明の「前記表示部は、前記記憶手段に記憶した有価価値に関する情報と、前記操作態様に関する表示を同時に表示可能である」構成は、「前記表示部は、前記記憶手段に記憶した有価価値に関する情報と、前記操作態様に関する表示を」「表示可能である」点で共通する。
　以上のことから、本願補正発明と引用発明とは、以下の点で一致する。
＜一致点＞
「(A)　遊技者による所定の操作部への操作によって遊技玉を遊技盤面に供給し、遊技盤面を流下した遊技玉が所定の入賞口に入った場合に賞を付与する機能を有し、前記操作部への操作態様により遊技盤面に供給する遊技玉の流下態様を調整可能な遊技機に対応して設けられる各台対応装置であって、
(B)　前記各台対応装置の動作を制御する制御手段と、
(C)　所定の記録媒体の処理を行う記録媒体処理手段と、
(D)　前記記録媒体に関連付けられた有価価値及び遊技媒体数を特定して記憶する記憶手段と、
(E')　前記遊技機と通信を行う通信手段と、
(F)　所定の操作を受け付けた場合に、前記遊技機に対して前記記憶手段に記憶した遊技媒体数を特定可能な情報を前記通信手段を介して送信する送信手段と、
(G)　前記遊技機から移行分の遊技媒体数を特定可能な情報を前記通信手段を介して受信する受信手段と、
(H)　前記受信手段に受信した情報に基づいて前記記憶手段に記憶した遊技媒体数を更新する更新手段と、
(I)　前記通信手段を介して前記操作部への操作態様に関する情報を取得する操作情報取得手段と、
(J)　前記操作情報取得手段により取得された情報に基づいて、前記操作部への操作態様に関する表示を所定の表示部において行う操作情報表示制御手段と
　を有し、
(L')　前記表示部は、前記記憶手段に記憶した有価価値に関する情報と、前記操作態様に関する表示を表示可能である
　各台対応装置。」
　そして、両者は、以下の点で相違する。
＜相違点１＞　（本願補正発明の(E)と(K)の特定事項）
　遊技機と通信を行う通信手段に関して、本願補正発明は、通信手段は、制御手段の認証を行う認証手段を有し、認証手段による認証結果が正当なものであった場合に、操作情報取得手段による一定時間間隔ごとの情報の取得が可能な状態を設定するものであるのに対して、引用発明は、その点が不明である点。
＜相違点２＞　（本願補正発明の(L)の特定事項）
　表示部に関して、本願補正発明は、有価価値に関する情報と、操作態様に関する表示を同時に表示可能であるのに対して、引用発明は、その点が不明である点。
（４）当審の判断
ア　相違点についての検討
（ア）　相違点１について
　上記（２）エに示した、引用文献２記載事項における「ＣＵ通信制御部８０」が有する「メイン制御部３２３の認証を行う手段」は、上記相違点１に係る本願補正発明の構成(E)の「制御手段の認証を行う認証手段」に相当し、「ＣＵとＰ台との間で２００ｍｓの間隔でコマンドおよびレスポンスの双方が送信される構成」は、上記相違点１に係る本願補正発明の構成(K)の「一定時間間隔ごとの情報の取得が可能な状態を設定する」ことに相当するといえる。
　そして、上記（１）アの引１−ｆに示した引用文献１の段落【００３７】には、「・・・（略）・・・、ＣＲユニット３が遊技球貸出装置の装置本体に相当し、タッチ液晶モジュール２０が遊技球貸出装置の表示部及び操作部に相当し、これらによって遊技球貸出装置６３が構成される。」と記載され、同じく、引１−ｈに示した段落【００５４】には、「・・・（略）・・・、パチンコ機２が備える周辺機器との入出力インターフェースを遊技球貸出装置６３とのインターフェースのみにできる。これにより、インターフェース部分を通じて外部から不正な信号をパチンコ機２に与えて誤動作させる等の不正行為に対する対策がし易くなる。」と記載されていることから、引用発明は、パチンコ機２と、ＣＲユニット３を含む遊技球貸出装置６３とを通信可能とするにあたって、入出力インターフェースを構成する「遊技機側外部入出力接続基板８４」に関して、不正行為に対する対策が必要であるという課題が内在するものである。
　そうすると、ＣＲユニット３に設けられたパチンコ機２との入出力インターフェースである引用発明における「遊技機側外部入出力接続基板８４」に関して、不正行為に対する対策という内在された課題を解決するために、引用文献２記載事項を適用し、不正行為に対する対策が施された、メイン制御部３２３に認証されたＣＵ通信制御部８０を搭載することは、当業者が容易に想到し得ることである。そして、その場合において、ＣＵ通信制御部８０は、メイン制御部３２３を相互認証するものであるから、ＣＵ通信制御部８０は、メイン制御部３２３を認証する手段を有しており、上記相違点１に係る本願補正発明の構成(E)の「制御手段の認証を行う認証手段」を有するものである。
　また、引用発明に引用文献２記載事項を適用したものは、「ＣＵとＰ台との間で２００ｍｓの間隔でコマンドおよびレスポンスの双方が送信される構成」を有するものであるから、上記相違点１に係る本願補正発明の構成(K)の「一定時間間隔ごとの情報の取得が可能な状態を設定する」構成を有するものである。
　したがって、引用発明に、引用文献２記載事項を適用し、本願補正発明上記相違点１に係る本願補正発明の構成を成すことは、当業者が容易になし得たことである。
（イ）　相違点２について
　上記（２）オに示した引用文献３記載事項における「遊技球表示演出画面２００」、「プリペイド残価値」及び「ハンドル操作状態」は、それぞれ、上記相違点２に係る構成における「表示部」、「記憶手段に記憶した有価価値に関する情報」、「操作態様に関する表示」に相当する。
　よって、引用文献３には、表示部に、有価価値に関する情報と、操作態様に関する表示を同時に表示可能とした構成が記載されている。
　また、引用発明と、引用文献３記載事項は、いずれも、パチンコ機に併設されたカードユニットにおけるプリペイド残価値とハンドル操作状態を表示する表示画面の構成に関するものである点で同一の技術分野に属するものである。
　そして、表示装置に表示する項目をどのように設定するかは、当業者が必要に応じて適宜決定し得ることであり、その決定にあたって、引用文献３記載事項を参酌し、上記相違点２に係る本願補正発明の構成を成すことは、当業者が容易になし得たことである。
（ウ）　本願補正発明の奏する作用効果
　本願補正発明によって奏される効果は、引用文献１ないし３に記載された事項から、当業者が予測し得る程度のものである。
イ　審判請求人の主張について
　審判請求人は、審判請求書において、「引用文献１において、遊技球貸出装置６３の動作モードをハンドル操作量ナビゲーションモードとしたならば、プリペイド価値等は表示されず、例えば遊技機が特定の状態（大当り状態等）になったときに、プリペイド価値がある状態で遊技をしているか否かを認識できないことになり、利便性を欠く結果となります。これに対して、本願発明では、「操作態様に関する情報とプリペイド価値に関する情報を同時に表示可能」に構成していますので、上記の引用文献１のような問題点が生じず、プリペイド価値がある状態で遊技をしているか否かを認識できるように構成しています。」と主張している。
　しかしながら、引用文献３記載事項は、「操作態様に関する情報とプリペイド価値に関する情報を同時に表示可能」とするものであるから、審判請求人が主張する上記の作用効果は、引用文献１及び引用文献３に記載された事項から、当業者が予測し得る程度のものであり、審判請求人の審判請求書における主張を参酌しても、本願補正発明が、格別な進歩性を有するものとは認められない。
（５）　小括
　
　よって、本願補正発明は、引用発明、引用文献２記載事項、及び、引用文献３記載事項に基づいて当業者が容易に発明をすることができたものであるから、特許法第２９条第２項の規定により特許出願の際独立して特許を受けることができないものである。
４　むすび
　以上のことから、本件補正は、特許法第１７条の２第６項で準用する同法第１２６条第７項の規定に違反するものである。
　したがって、本件補正は、特許法第１５９条第１項で読み替えて準用する特許法第５３条第１項の規定により却下されるべきものである。
第３　本願発明について
１　本願発明
　平成２９年１２月１２日付けの手続補正は、上記のとおり却下されたので、本願の請求項１に係る発明は、平成２９年７月２０日になされた手続補正により補正された特許請求の範囲の請求項１に記載されたとおりのもの（上記「第２」［理由］「１」の「（補正前）」の記載を参照）（以下「本願発明」という。）であり、分説して(A)ないし(L)の符号を付与すると、以下のとおりである。
「(A) 遊技者による所定の操作部への操作によって遊技玉を遊技盤面に供給し、遊技盤面を流下した遊技玉が所定の入賞口に入った場合に賞を付与する機能を有し、前記操作部への操作態様により遊技盤面に供給する遊技玉の流下態様を調整可能な遊技機に対応して設けられる各台対応装置であって、
(B)　前記各台対応装置の動作を制御する制御手段と、
(D')　遊技媒体数を記憶する記憶手段と、
(E)　前記制御手段の認証を行う認証手段を有し、前記遊技機と通信を行う通信手段と、
(F)　所定の操作を受け付けた場合に、前記遊技機に対して前記記憶手段に記憶した遊技媒体数を特定可能な情報を前記通信手段を介して送信する送信手段と、
(G)　前記遊技機から移行分の遊技媒体数を特定可能な情報を前記通信手段を介して受信する受信手段と、
(H)　前記受信手段に受信した情報に基づいて前記記憶手段に記憶した遊技媒体数を更新する更新手段と、
(I)　前記通信手段を介して前記操作部への操作態様に関する情報を取得する操作情報取得手段と、
(J)　前記操作情報取得手段により取得された情報に基づいて、前記操作部への操作態様に関する表示を所定の表示部において行う操作情報表示制御手段と
　を有し、
(K)　前記通信手段は、前記認証手段による認証結果が正当なものであった場合に、前記操作情報取得手段による一定時間間隔ごとの情報の取得が可能な状態を設定するものである
　ことを特徴とする各台対応装置。
２　原査定の拒絶の理由
　原査定の拒絶の理由は、この出願の請求項１に係る発明は、その出願前に日本国内又は外国において頒布された又は電気通信回線を通じて公衆に利用可能となった下記の引用文献１及び２に記載された事項に基づいて、その出願前にその発明の属する技術の分野における通常の知識を有する者が容易に発明をすることができたものであるから、特許法第２９条第２項の規定により特許を受けることができない。
引用文献１：特開２０１１−２０６４５５号公報
引用文献２：特開２０１２−１００７６６号公報
３　引用文献とそれに記載された事項
　原査定の拒絶の理由で引用された引用文献１、２及びそれらの記載事項は、上記第２［理由］２（２）アないしエに記載したとおりである。
４　対比・判断
　本願発明は、前記第２の［理由］２で検討した本願補正発明から、「各台対応装置」について、「所定の記録媒体の処理を行う記録媒体処理手段」を有するとした限定事項（本願補正発明の(C)の構成の全体）を削除し、「記憶手段」について、「前記記録媒体に関連付けられた有価価値及び遊技媒体数を特定して記憶する」との限定事項（本願補正発明の(D)の構成の一部）を削除し、「表示部」について「前記記憶手段に記憶した有価価値に関する情報と、前記操作態様に関する表示を同時に表示可能である」との限定事項（本願補正発明の(L)の構成の全体）を削除したものである。
　そこで、本願発明と、引用発明を対比すると、両者は、以下の点で相違し、その余の点で一致する。
＜相違点＞　（本願補正発明の(E)と(K)の特定事項）
　遊技機と通信を行う通信手段に関して、本願発明は、前記通信手段は、制御手段の認証を行う認証手段を有し、前記認証手段による認証結果が正当なものであった場合に、前記操作情報取得手段による一定時間間隔ごとの情報の取得が可能な状態を設定するものであるのに対して、引用発明は、その点が不明である点。
　上記相違点について検討すると、上記相違点は、前記第２の［理由］２（３）に示した＜相違点１＞と同一のものであり、その判断は、前記第２の［理由］２（４）ア（ア）に示した「相違点１について」において検討したとおりである。
　そして、本願発明によって奏される効果は、引用文献１及び２に記載された事項から、当業者が予測し得る程度のものである。
　したがって、本願発明は、引用発明及び引用文献２記載事項に基づいて、当業者が容易に発明をすることができたものである。
第４　むすび
　以上のとおりであるから、本願発明は、特許法第２９条第２項の規定により特許を受けることができないから、他の請求項に係る発明について検討するまでもなく、本願は拒絶されるべきものである。
　よって、結論のとおり審決する。